(57)【要約】【課題】  画像を含む文書情報の可読性を向上する。【解決手段】  文書情報表示装置１００は以下の処理を行う。画像単位抽出部１２０は文書データから画像および画像の説明を画像単位として抽出する。そして抽出した画像単位を文書データ内で一意の文書データと関連付けて画像単位記憶部１９２に記憶し、画像を画像単位記憶部１９２に記憶された画像単位と関連付けて画像記憶部１９３に記憶する。また文書データにおいて画像単位部分を画像単位と関連付けた文書データに置換して画像置換データ記憶部１９４に記憶する。文書解析部１３０は画像置換データ記憶部１９４に記憶された文書データを入力して任意の文書解析を行い、解析結果を解析データ記憶部１９５に記憶する。出力部１４０は解析結果を取得し、解析結果に関連する画像単位および画像を画像単位記憶部１９２および画像記憶部１９３から取得して解析した文書を表示する。【選択図】        図３
2006190171.tif 000002
【特許請求の範囲】
【請求項１】
画像と画像に付随するデータとを含む文書データを記憶する文書データ記憶部と、
前記文書データ記憶部に記憶された文書データを取得し、取得した文書データから画像と画像に付随するデータとを画像単位として抽出する画像単位抽出部と
を備えたことを特徴とする文書処理装置。
【請求項２】
前記画像単位抽出部は、
文書データから抽出した画像の後にある特定文字に囲われたデータを画像に付随するデータと見なす処理をする
ことを特徴とする請求項１記載の文書処理装置。
【請求項３】
前記画像単位抽出部は、
文書データから抽出した第一の画像の後にある特定文字に囲われたデータに含まれる第二の画像と第二の画像に付随するデータとを画像単位として抽出する
ことを特徴とする請求項２記載の文書処理装置。
【請求項４】
前記画像単位抽出部は、
文書データを文書解析し、文書解析結果から画像に対する説明部分を抽出し、画像に対する説明部分を画像に付随するデータと見なす処理をする
ことを特徴とする請求項１〜請求項３いずれかに記載の文書処理装置。
【請求項５】
前記画像単位抽出部は、
文書データから抽出した第一の画像に対する説明部分に含まれる第二の画像と第二の画像に付随するデータとを画像単位として抽出する
ことを特徴とする請求項４記載の文書処理装置。
【請求項６】
前記画像単位抽出部は、
文書データから抽出した第一の画像が特定文字間にある句点以外の句点の後にある場合、第一の画像の後にある第二の画像と文書データの最後とのいずれかと第一の画像との間にあるデータを第一の画像に付随するデータと見なす処理をし、
文書データから抽出した第一の画像が句点の前にある場合、第一の画像の後に第一の画像に付随するデータは無いものと見なす処理をする
ことを特徴とする請求項１〜請求項５いずれかに記載の文書処理装置。
【請求項７】
前記文書処理装置は、さらに、
画像単位を文書データ内で一意の文字データに置換された文書データを記憶する画像置換データ記憶部と、
文書データを解析する文書解析部とを備え、
前記画像単位抽出部は、
前記文書データ記憶部に記憶された文書データを取得し、取得した文書データから画像と画像に付随するデータとを画像単位として抽出し、取得した文書データに対して抽出した画像単位を文書データ内で一意の文字データに置換し、画像単位を文書データ内で一意の文書データに置換した文書データを前記画像置換データ記憶部に記憶し、
前記文書解析部は、
前記画像置換データ記憶部に記憶された文書データを取得し、取得した文書データを解析する
ことを特徴とする請求項１〜請求項６いずれかに記載の文書処理装置。
【請求項８】
前記文書処理装置は、さらに、
画像を記憶する画像記憶部と、
画像に付随するデータを前記画像記憶部に記憶された画像と関連付けて記憶する画像単位記憶部と、
前記文書解析部が解析した文書データを解析データとして記憶する解析データ記憶部と、
処理した文書データを出力する出力部とを備え、
前記画像単位抽出部は、
前記文書データ記憶部に記憶された文書データを取得し、取得した文書データから画像と画像に付随するデータとを抽出し、抽出した画像を文書データ内で一意の文字データと関連付けて前記画像記憶部に記憶し、抽出した画像に付随するデータを前記文書データ内で一意の文字データと関連付けて前記画像単位記憶部に記憶し、取得した文書データに対して抽出した画像と画像に付随するデータとを前記文書データ内で一意の文字データに置換し、画像と画像に付随するデータとを前記文書データ内で一意の文書データに置換した文書データを前記画像置換データ記憶部に記憶し、
前記文書解析部は、
前記画像置換データ記憶部に記憶された文書データを取得し、文書データ内で一意の文字データを一つの単語として扱い文書データを解析し、解析した文書データを解析データとして前記解析データ記憶部に記憶し、
前記出力部は、
前記解析結果記憶部に記憶された解析データを取得し、取得した解析データ内の置換された前記文書データ内で一意の文字データに関連付けられた画像を前記画像記憶部から取得し、取得した解析データ内の置換された前記文書データ内で一意の文字データに関連付けられた画像に付随するデータを前記画像単位記憶部から取得し、取得した解析データと取得した画像と取得した画像に付随するデータとを出力する
ことを特徴とする請求項７に記載の文書処理装置。
【請求項９】
前記文書解析部は、
文書データ内で一意の文字データを一つの固有名詞として扱い文書データを解析する
ことを特徴とする請求項８記載の文書処理装置。
【請求項１０】
前記文書解析装置は、さらに、
画像単位と画像と画像に付随するデータとの少なくともいずれかに対するデータの出力命令を入力する命令入力部を備え、
前記出力部は、
前記命令入力部が入力した出力命令の示す画像単位と画像と画像に付随するデータとの少なくともいずれかを前記画像記憶部と前記画像単位記憶部との少なくともいずれかから取得し出力する
ことを特徴とする請求項８または請求項９いずれかに記載の文書処理装置。
【請求項１１】
画像と画像に付随するデータとを含む文書データを文書データ記憶部に記憶し、
前記文書データ記憶部に記憶された文書データを取得し、取得した文書データから画像と画像に付随するデータとを画像単位として抽出する
ことを特徴とする文書処理方法。
【請求項１２】
請求項１１記載の文書処理方法をコンピュータに実行させることを特徴とする文書処理プログラム。
【発明の詳細な説明】
【技術分野】
【０００１】
本発明は、画像を含む文書情報の表示技術における文書処理装置、文書処理方法および文書処理プログラムに関するものである。
【背景技術】
【０００２】
文書読解支援方法には例えば特許文献１がある。これは、二つのテキストのそれぞれの構成要素の関係に基づいて、二つのテキストを比較した結果を表示する方法である。
また、特願２００４−１２７５７８号（本出願時において未公開）では、文書を解析して文書構成を視覚化し可読性を向上することができる。
【特許文献１】特開２００３−３０８３１８号公報
【発明の開示】
【発明が解決しようとする課題】
【０００３】
一般的に、文書に画像が含まれる場合、文書の解析が困難であるという課題があった。
また、文章の途中に画像と画像に対する長い説明が現れると、文章内容の把握を妨げることになり、画像に対する説明内に別の画像および説明が入れ子構造のように現れると、さらに文章内容の把握が困難になり、画像に対する説明内容の把握も困難になるという課題があった。
上記のような課題は、技術内容が１文で記述されるという特徴のある特許明細書の特許請求の範囲の各請求項において顕著に現れる。
【０００４】
本発明は、上記の課題を踏まえ、例えば、画像を含む文書情報の可読性を向上できるように画像および画像の説明を処理することを目的とする。加えて、文書の解析を行う既存の装置、方法、プログラムを利用できるようにすることを目的とする。
【課題を解決するための手段】
【０００５】
本発明の文書処理装置は、画像と画像に付随するデータとを含む文書データを記憶する文書データ記憶部と、前記文書データ記憶部に記憶された文書データを取得し、取得した文書データから画像と画像に付随するデータとを画像単位として抽出する画像単位抽出部とを備えたことを特徴とする。
【０００６】
前記画像単位抽出部は、文書データから抽出した画像の後にある特定文字に囲われたデータを画像に付随するデータと見なす処理をすることを特徴とする。
【０００７】
前記画像単位抽出部は、文書データから抽出した第一の画像の後にある特定文字に囲われたデータに含まれる第二の画像と第二の画像に付随するデータとを画像単位として抽出することを特徴とする。
【０００８】
前記画像単位抽出部は、文書データを文書解析し、文書解析結果から画像に対する説明部分を抽出し、画像に対する説明部分を画像に付随するデータと見なす処理をすることを特徴とする。
【０００９】
前記画像単位抽出部は、文書データから抽出した第一の画像に対する説明部分に含まれる第二の画像と第二の画像に付随するデータとを画像単位として抽出することを特徴とする。
【００１０】
前記画像単位抽出部は、文書データから抽出した第一の画像が特定文字間にある句点以外の句点の後にある場合、第一の画像の後にある第二の画像と文書データの最後とのいずれかと第一の画像との間にあるデータを第一の画像に付随するデータと見なす処理をし、文書データから抽出した第一の画像が句点の前にある場合、第一の画像の後に第一の画像に付随するデータは無いものと見なす処理をすることを特徴とする。
【００１１】
本発明の文書処理装置は、さらに、画像単位を文書データ内で一意の文字データに置換された文書データを記憶する画像置換データ記憶部と、文書データを解析する文書解析部とを備え、前記画像単位抽出部は、前記文書データ記憶部に記憶された文書データを取得し、取得した文書データから画像と画像に付随するデータとを画像単位として抽出し、取得した文書データに対して抽出した画像単位を文書データ内で一意の文字データに置換し、画像単位を文書データ内で一意の文字データに置換した文書データを前記画像置換データ記憶部に記憶し、前記文書解析部は、前記画像置換データ記憶部に記憶された文書データを取得し、取得した文書データを解析することを特徴とする。
【００１２】
本発明の文書処理装置は、さらに、画像を記憶する画像記憶部と、画像に付随するデータを前記画像記憶部に記憶された画像と関連付けて記憶する画像単位記憶部と、前記文書解析部が解析した文書データを解析データとして記憶する解析データ記憶部と、処理した文書データを出力する出力部とを備え、前記画像単位抽出部は、前記文書データ記憶部に記憶された文書データを取得し、取得した文書データから画像と画像に付随するデータとを抽出し、抽出した画像を文書データ内で一意の文字データと関連付けて前記画像記憶部に記憶し、抽出した画像に付随するデータを文書データ内で一意の文字データと関連付けて前記画像単位記憶部に記憶し、取得した文書データに対して抽出した画像と画像に付随するデータとを前記文書データ内で一意の文字データに置換し、画像と画像に付随するデータとを前記文書データ内で一意の文字データに置換した文書データを前記画像置換データ記憶部に記憶し、前記文書解析部は、前記画像置換データ記憶部に記憶された文書データを取得し、文書データ内で一意の文字データを一つの単語として扱い文書データを解析し、解析した文書データを解析データとして前記解析データ記憶部に記憶し、前記出力部は、前記解析結果記憶部に記憶された解析データを取得し、取得した解析データ内の置換された前記文書データ内で一意の文字データに関連付けられた画像を前記画像記憶部から取得し、取得した解析データ内の置換された前記文書データ内で一意の文字データに関連付けられた画像に付随するデータを前記画像単位記憶部から取得し、取得した解析データと取得した画像と取得した画像に付随するデータとを出力することを特徴とする。
【００１３】
前記文書解析部は、文書データ内で一意の文字データを一つの固有名詞として扱い文書データを解析することを特徴とする。
【００１４】
本発明の文書解析装置は、さらに、画像単位と画像と画像に付随するデータとの少なくともいずれかに対するデータの出力命令を入力する命令入力部を備え、前記出力部は、前記命令入力部が入力した出力命令の示す画像単位と画像と画像に付随するデータとの少なくともいずれかを前記画像記憶部と前記画像単位記憶部との少なくともいずれかから取得し出力することを特徴とする。
【００１５】
本発明の文書処理方法は、画像と画像に付随するデータとを含む文書データを文書データ記憶部に記憶し、前記文書データ記憶部に記憶された文書データを取得し、取得した文書データから画像と画像に付随するデータとを画像単位として抽出することを特徴とする。
【００１６】
本発明の文書処理プログラムは、前記文書処理方法をコンピュータに実行させることを特徴とする。
【発明の効果】
【００１７】
本発明によれば、例えば、画像を含む文書情報の可読性を向上できるように画像および画像の説明を処理することができる。加えて、文書の解析を行う既存の装置、方法、プログラムを利用することができ経済性を向上する。
【発明を実施するための最良の形態】
【００１８】
実施の形態１．
図１は、実施の形態１における文書処理装置（以下、文書情報表示装置とする）の外観を示す図である。
図１において、文書情報表示装置１００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。
さらに、文書情報表示装置１００は、ＦＡＸ機９３２、電話器９３１とケーブルで接続され、また、ローカルエリアネットワーク（ＬＡＮ）９４２、ウェブサーバ９４１を介してネットワーク９４０に接続されている。
【００１９】
図２は、実施の形態１における文書情報表示装置１００のハードウェア構成図である。
図２において、文書情報表示装置１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
ＲＡＭ９１４は、揮発性メモリの一例である。ＲＯＭ９１３、ＦＤＤ９０４、ＣＤＤ９０５、磁気ディスク装置９２０、光ディスク装置は、不揮発性メモリの一例である。これらは、記憶装置あるいは記憶部の一例である。
通信ボード９１５は、ＦＡＸ機９３２、電話器９３１、ＬＡＮ９４２等に接続されている。
例えば、通信ボード９１５、Ｋ／Ｂ９０２、スキャナ装置９０７、ＦＤＤ９０４などは、情報入力部の一例である。
また、例えば、通信ボード９１５、ＣＲＴ表示装置９０１などは、出力部の一例である。
【００２０】
ここで、通信ボード９１５は、ＬＡＮ９４２に限らず、直接、ネットワーク９４０、或いはＩＳＤＮ等のＷＡＮ（ワイドエリアネットワーク）に接続されていても構わない。直接、ネットワーク９４０、或いはＩＳＤＮ等のＷＡＮに接続されている場合、文書情報表示装置１００は、ネットワーク９４０、或いはＩＳＤＮ等のＷＡＮに接続され、ウェブサーバ９４１は不用となる。
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００２１】
上記プログラム群９２３には、以下に述べる実施の形態の説明において「〜部」として説明する機能を実行するプログラムが記憶されている。プログラムは、ＣＰＵ９１１により読み出され実行される。
ファイル群９２４には、以下に述べる実施の形態の説明において、「〜の判定結果」、「〜の計算結果」、「〜の処理結果」として説明するものが、「〜ファイル」として記憶されている。
また、以下に述べる実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ  ｃａｒｔｒｉｄｇｅ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）、その他の記録媒体に記録される。あるいは、信号線やその他の伝送媒体により伝送される。
【００２２】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００２３】
また、以下に述べる実施の形態を実施するプログラムは、磁気ディスク装置９２０、ＦＤ、光ディスク、ＣＤ、ＭＤ、ＤＶＤ、その他の記録媒体による記録装置を用いて記憶されても構わない。
【００２４】
図３は、実施の形態１における文書情報表示装置１００の構成図である。
図３において、実施の形態１における文書情報表示装置１００は以下のものを備える。
文書データ記憶部１９１は、画像と画像に付随するデータとを含む文書データを記憶する。
文書データ取得部１１０は、画像と画像に付随するデータとを含む文書データを取得し、取得した文書データを文書データ記憶部１９１に記憶する。例えば、前記情報入力部から文書データを入力し、入力した文書データを文書データ記憶部１９１に記憶する。
画像記憶部１９３は、画像を記憶する。
画像単位記憶部１９２は、画像に付随するデータを画像記憶部１９３に記憶された画像と関連付けて記憶する。
画像置換データ記憶部１９４は、画像と画像に付随するデータとを文書データ内で一意の文字データに置換された文書データを記憶する。
画像単位抽出部１２０は、文書データ記憶部１９１に記憶された文書データを取得し、取得した文書データから画像と画像に付随するデータとを画像単位として抽出する。画像単位を抽出するため画像単位抽出部１２０は、特定文字に囲われたデータを画像に付随するデータとしたり、文書解析を行い画像の説明部分を画像に付随するデータとしたりする。
解析データ記憶部１９５は、解析された文書データを解析データとして記憶する。
文書解析部１３０は、画像置換データ記憶部１９４に記憶された文書データを取得し、取得した文書データを解析し、解析した文書データを解析データとして解析データ記憶部１９５に記憶する。
命令入力部１５０は、画像単位と画像と画像に付随するデータとの少なくともいずれかに対するデータの出力命令を入力する。
出力部１４０は、処理した文書データを表示装置に出力する。
【００２５】
ここで、特定文字とは、例えば括弧やアスタリスク等の任意のデータのことである。このデータは複数データから成るものでもよい。また括弧には（），［］，｛｝，＜＞，「」や墨付き括弧などが挙げられる。以下、括弧を特定文字として説明する。
また、画像に付随するデータとは、例えば画像に対する説明文のことである。
以下、画像と画像に付随するデータとを含む文書データを特許明細書の特許請求の範囲の各請求項として説明する。但し、実施の形態１における文書情報表示装置１００は請求項以外の文書データを処理しても構わない。
【００２６】
次に、画像単位抽出部１２０の画像単位抽出処理について説明する。
まず、画像単位について説明する。
図４，５は、実施の形態１における画像単位の構成を示す図である。
図４には、特開２００４−０３３４３６号公報の請求項３を示している。
この請求項３は、請求内容を示す文書中に一般式（１）を示す画像（以下、画像そのものを画像または画像本体として示す）を含んでいる。また、この画像本体の前には墨付き括弧に囲われた画像本体を識別する情報が存在し、画像本体の後には括弧（）に囲われた画像の説明が存在する。
【００２７】
図４において、画像の説明は、請求項本文とは別個の文章であるため別処理（解析処理等）で扱うことが好ましい。また、墨付き括弧から画像の説明までが１つの意味のまとまりになっている点を考慮すると、墨付き括弧から画像の説明までを１つの意味単位として扱うことが好ましい。請求項に対する解析処理が容易になると考えられるためである。
【００２８】
そこで、図５に示すように、「墨付き括弧」と「画像本体」と「画像の説明」とから構成される意味単位を画像単位として以下に説明する。但し、これ以外を画像単位としても構わない。例えば、「画像本体」のみでも構わないし、「墨付き括弧」以外の括弧でも構わない。
ここで、請求項以外の文書も画像を含む場合には請求項と同様に、画像を識別するもの、画像本体、画像の説明などの組み合わせが１つの意味のまとまりになると考えらる。そして、このまとまりを１つの意味単位として扱うことで文書に対する解析処理が容易になると考えられる。このため、実施の形態１における文書情報表示装置１００は、請求項以外の文書データに対しても効果をあげることができるといえる。
【００２９】
次に、文書内での画像単位の出現位置について説明する。
特開２００４−０３３００１号から特開２００４−３４１０００号の各公報を調査した結果、請求項において、（１）請求項の末尾、（２）請求項の文中、（３）画像の説明中に画像単位の出現があった。
例えば、図６は（１）画像単位が請求項の末尾に出現する例（特開２００４−０３３０４３号公報：請求項７）である。
また、図７は（２）画像単位が請求項の文中に出現する例（特開２００４−０３３４３６号公報：請求項３）である。
また、図８は（３）画像単位が画像の説明中に出現する例（特開２００４−０３５６２７号公報：請求項２６）である。
それぞれ、図中の四角で囲まれた部分が画像単位である。
【００３０】
次に、画像単位を１つの単語で表すことで文書解析が容易になることについて説明する。
ここで、図７に示す特開２００４−０３３４３６号公報の請求項３において、画像単位を単語「Ａ」で表すと以下のようになる。
「アミノ酸骨格を有する化合物が一般式（１）：Ａで表される化合物である請求項１記載の消臭剤。」
【００３１】
また、図８に示す特開２００４−０３５６２７号公報の請求項２６の画像［化１１］の説明において、画像単位を単語「Ａ」、「Ｂ」、「Ｃ」で表すと以下のようになる。
「式中、Ｒ１、Ｒ２は炭素数１〜３０の分岐していてもよいアルキル基、もしくはアルコキシ基、炭素数２〜３０のアルカノイルオキシ基、アルコキシカルボニル基、アルコキシアルキル基、もしくはアルコキシアルコキシ基、または炭素数３〜３０のアルコキシアルカノイルオキシ基を表わし、Ｘは−ＣＯＯ−または−ＯＣＯ−を表わし、Ａは、ＢまたはＣを表す。Ｍは遷移金属を示し、Ｌ１、Ｌ２は各々独立に、またはＬ１とＬ２が一体となって配位子を表す。」
【００３２】
上記のように、画像単位を１つの単語で表しても文章として違和感無く読めることが分かる。つまり、画像を含む文章において画像単位を１つの単語で表すことは、構造解析や意味解析などの文章解析に効果的であるといえる。
また、画像単位を１つの単語で置き換えた文書データを出力する装置（図３における画像単位抽出部１２０）を用意することで、画像単位を１つの単語で置き換えた文書データを作成し、作成した文書データを入力とし、既存の装置（図３における文書解析部１３０）を利用して文書の解析を行うことができる。
【００３３】
また、図７に示す特開２００４−０３３４３６号公報の請求項３において、画像本体のみを「Ａ」で表すと以下のようになる。
「アミノ酸骨格を有する化合物が一般式（１）：Ａ（式中、Ｒ１およびＲ２は、それぞれ独立して水素原子または直鎖もしくは分岐鎖の飽和もしくは不飽和の炭素数１〜３の炭化水素基を示す。Ｒ３は、直鎖もしくは分岐鎖の飽和もしくは不飽和の炭素数１〜３の炭化水素基または炭素数１〜３のアルコキシ基を示す。Ｘは直鎖または分岐鎖の飽和または不飽和の炭素数１〜３の炭化水素基を示す）で表される化合物である請求項１記載の消臭剤。」
【００３４】
上記のように、画像本体のみを１つの単語で表す場合、文章の途中に別の文章（図の説明）が現れることになるため、文章の解析処理は複雑になる。このため、画像本体に画像の説明を加えたものを画像単位として１つの単語で表すことは、文書の解析処理に効果的であるといえる。また、画像本体を識別する墨付き括弧で囲われた情報などがある場合に、その情報を画像単位に加えることも同様である。
【００３５】
次に、画像の説明部分を判断する方法について説明する。
前述の調査の結果、画像の説明は、図４に示す例のように、画像後に括弧に囲われて出現する場合が多く見られた。
そのため、画像の出現位置（請求項の末尾、請求項の文中、画像の説明中）に関わらず、画像の後の括弧で囲われた範囲を画像の説明と判断する。
また、括弧が無い場合には画像の出現位置（請求項の末尾、請求項の文中、画像の説明中）に対応させて判断する方法が考えられる。以下に、括弧が無い場合の画像の説明部分の判断について説明する。
【００３６】
まず、画像の出現位置が「請求項の末尾」である場合について説明する。
画像の出現位置が「請求項の末尾」である場合は、図６に示す例のように、画像本体の出現は請求項本文の内容記述後であり、画像本体の出現時には請求項本文の内容の記述自体は終了している。このため、画像に続く文章は画像を説明している文章である可能性が高いといえる。特に、特許明細書の請求項は１文で記述されるため、この判断は適当である。
そこで、画像の出現位置が「請求項の末尾」である場合は、第一の画像から第二の画像までの文章、または、第一の画像から文書末までの文章を第一の画像の説明と判断する。
【００３７】
次に、画像の出現位置が「請求項の文中」である場合について説明する。
画像の出現位置が「請求項の文中」である場合は、図７に示す例のように、画像の出現位置において、請求項本文の内容の記述は継続している。この場合、画像の説明を括弧等の特定文字で区切らなければ、請求項本文と画像の説明との分離ができず、解釈が難しくなる。このため、特定文字での区切り無しで請求項本文と画像の説明とが記述されることは少ないと考えられる。
そこで、画像の出現位置が「請求項の文中」である場合で且つ特定文字が無い場合は、画像に続く文章は請求項本文であり、画像の説明は無いと判断する。
また、上述のように、調査の結果、画像の説明を区切る文字には括弧が使用されていたため、特定文字を括弧とする。
【００３８】
次に、画像の出現位置が「画像の説明中」である場合について説明する。
画像の出現位置が「画像の説明中」である場合は、画像の説明の「文中」に画像が出現しているといえるので、上記の画像の出現位置が「請求項の文中」に出現した場合と同じ判断を行う。
【００３９】
ここで、画像の出現位置についての判断方法について説明する。
上記のように、画像の出現位置を「文中（請求項の文中または画像の説明中）」と「文中以外（請求項の末尾）」とで判断する必要があるため、画像の前に句点が有るかを判定する。
画像の前に句点が無い場合は画像の出現位置を「文中」と判断し、画像の前に句点が有る場合は画像の出現位置を「文中以外」と判断する。
【００４０】
但し、上記のように画像の出現位置が「画像の説明中」である場合は、画像の出現位置を「文中」として扱うため、画像の前の句点有無に関わらず、画像の出現位置を「文中」と判断する。
また、画像の後に出現しない括弧、つまり画像の説明をするための括弧として判断しない括弧に囲われた範囲内の句点は、句点有無の判断に使用しないものとする。
つまり、括弧に囲われた範囲に出現した句点は、括弧に囲われた範囲が画像の説明であるかないかに関わらず、句点有無の判断に使用しないものとする。
図９に括弧に囲われた範囲に句点が出現する例（特開２００４−０３５４９５号：請求項１）を示す。図９に示される括弧に囲われた範囲にある２つの句点は、共に句点有無の判断に使用されない。
【００４１】
ここでは特許明細書の請求項について述べているが、その他の文書においても、何らかの表層／意味表現により画像及びその説明内容の範囲を決定することが可能な文書であれば、上記と同様な判断が利用できると考えられる。
但し、上記方法以外の方法により画像の説明部分を判断しても構わない。
【００４２】
次に、上記説明に従い画像単位を抽出する処理について図１０〜図１４に基づいて説明する。
図１０は、実施の形態１における画像単位抽出部１２０の画像単位抽出処理を示すフローチャートである。
【００４３】
図１０において、画像単位抽出部１２０は以下の処理を行って画像単位の抽出を行う。
画像単位抽出部１２０は文書データ記憶部１９１から文字列を入力し、入力した文字列を以下に示すように処理する。以下、処理する文字列を処理文字列とする。
ここで文字列とは、文書の１つであり、例えば１つの請求項（請求項本文＋画像単位）のことである。
【００４４】
まず、処理文字列の先頭から（１ａ）画像、（２）括弧の始まり、（３）文字列の末尾を検索する（Ｓ１０１）。
ここで（２）括弧の始まりとは開き括弧のことであり、（，［，｛，＜等のことである。また、），］，｝，＞等を閉じ括弧、つまり括弧の終わりとする。
【００４５】
次に、処理文字列の先頭の文字からＳ１０１で検索した（１ａ）画像と（２）括弧の始まりと（３）文字列の末尾とのいずれかの直前の文字までを対象文字列として、対象文字列に対する句点出現済み・句点未出現の判定を行う（Ｓ１０２）。
図１１は、実施の形態１における画像単位抽出部１２０の句点出現判定処理を示すフローチャートである。
図１１に示すように、画像単位抽出部１２０は以下の処理を行って句点出現済み・句点未出現の判定を行う。
まず、対象文字列が括弧に囲われた文字列であるかを判定する（Ｓ２０１）。ここでは、対象文字列が括弧に囲われた文字列ではないものとする。
次に、対象文字列が括弧に囲われた文字列でなかった場合、既に句点出現済みが設定されているかを判定する（Ｓ２０３）。ここでは、「句点出現済み」が設定されていないものとする。
次に、「句点出現済み」が設定されていなかった場合、対象文字列中に句点が有るかを判定する（Ｓ２０４）。
次に、対象文字列中に句点が有った場合、「句点出現済み」を設定する。ここで、句点の直後を対象文字列の先頭とする（Ｓ２０５）。
また、対象文字列中に句点が無かった場合、「句点未出現」を設定する（Ｓ２０６）。
【００４６】
句点出現済み・句点未出現の判定後、図１０において、Ｓ１０１で処理文字列の検索を行って最初に出現したものに応じて処理を分岐する（Ｓ１０３）。ここでは、（１ａ）画像が最初に出現したものとする。
【００４７】
処理文字列において（１ａ）画像が最初に出現した場合、画像単位の開始位置を判定する（Ｓ１０４）。
図１２は、実施の形態１における画像単位抽出部１２０の画像単位開始判定処理を示すフローチャートである。
図１２に示すように、画像単位抽出部１２０は以下の処理を行って画像単位の開始位置を判定する。
まず、「句点出現済み」が設定されているか、「句点未出現」が設定されているかを判定する（Ｓ３０１）。
「句点出現済み」が設定されていた場合、対象文字列の先頭を画像単位の開始位置として設定する（Ｓ３０２）。
「句点未出現」が設定されている場合、画像の直前の文字列を参照し、参照した文字列が墨付き括弧で囲われた文字列であるかを判定する（Ｓ３０３）。
画像の直前に墨付き括弧で囲われた文字列が有った場合、画像の直前の墨付き括弧部分を画像単位の開始位置として設定する（Ｓ３０４）。
画像の直前に墨付き括弧で囲われた文字列が無かった場合、画像を画像単位の開始位置として設定する（Ｓ３０５）。
【００４８】
画像単位の開始位置を判定後、図１０において、画像単位の終了位置を判定する（Ｓ１０５）。
図１３は、実施の形態１における画像単位抽出部１２０の画像単位終了判定処理を示すフローチャートである。
図１３に示すように、画像単位抽出部１２０は以下の処理を行って画像単位の終了位置を判定する。
まず、処理文字列の（１ａ）画像の後から（１ｂ）画像、（２）括弧の始まり、（３）文字列の末尾を検索する（Ｓ４０１）。
次に、Ｓ４０１で処理文字列の検索を行って最初に出現したものに応じて処理を分岐する（Ｓ４０２）。
【００４９】
（１ａ）画像の後の処理文字列において（１ｂ）画像と（３）文字列の末尾とのいずれかが最初に出現した場合、「句点出現済み」が設定されているか、「句点未出現」が設定されているかを判定する（Ｓ４０３）。
「句点出現済み」が設定されている場合、出現した（１ｂ）画像と（３）文字列の末尾とのいずれかの直前までを画像単位の終了位置として設定する（Ｓ４０４）。
そして、Ｓ４０１の検索で出現した（１ｂ）画像と（３）文字列の末尾とのいずれかの直後を処理文字列の先頭として設定する（Ｓ４０５）。
「句点未出現」が設定されている場合、Ｓ１０１の検索で出現した（１ａ）画像を画像単位の終了位置として設定する（Ｓ４０６）。
そして、Ｓ１０１の検索で出現した（１ａ）画像の直後を処理文字列の先頭として設定する（Ｓ４０７）。
【００５０】
（１ａ）画像の後の処理文字列において（２）括弧の始まりが最初に出現した場合、括弧で囲われた文字列に対する処理を行う（Ｓ４０８）。
図１４は、実施の形態１における画像単位抽出部１２０の括弧内処理を示すフローチャートである。
図１４に示すように、画像単位抽出部１２０は以下の処理を行って括弧で囲われた文字列に対する処理を行う。
まず、括弧の終わりを判定する（Ｓ５０１）。
括弧の終わりの判定は、処理文字列において、出現した開き括弧の直後から対応する閉じ括弧を検索することで行う。
例えば、検索中に新たな開き括弧１つが出現した場合は、１つ目の閉じ括弧は対応する閉じ括弧ではないと判定し、２つ目の閉じ括弧が対応する閉じ括弧であると判定する。
つまり、処理文字列が「・・・（Ａ（Ｂ（Ｃ）（Ｄ）Ｅ）Ｆ）Ｇ（Ｈ）・・・」で表される場合、Ａの直前の開き括弧に対応する閉じ括弧はＦの直後の閉じ括弧であり、Ｂの直前の開き括弧に対応する閉じ括弧はＥの直後の閉じ括弧であり、Ｃ，Ｄ，Ｈの直前の開き括弧に対応する閉じ括弧はそれぞれＣ，Ｄ，Ｈの直後にある閉じ括弧である。
この括弧の終わりの判定は、開き括弧と閉じ括弧の数をカウントし、開き括弧と閉じ括弧のカウント数が一致した時の閉じ括弧を対応する閉じ括弧と判定することなどにより行うことができる。
【００５１】
次に、括弧が画像出現後の括弧であるかを判定する（Ｓ５０２）。
括弧が画像出現後の括弧である場合、つまり、Ｓ１０１の検索で（１ａ）画像が出現し、画像単位終了判定処理（Ｓ１０５）において括弧内処理（Ｓ４０８）を実行した場合、括弧の終わりを画像単位の終了位置として設定する（Ｓ５０３）。
【００５２】
次に、括弧の始まりと括弧の終わりとで囲われた文字列を抽出する（Ｓ５０４）。
【００５３】
そして、抽出した文字列を入力として図１０に示す画像単位抽出処理を実行する（Ｓ５０５）。
このとき、句点出現判定処理（Ｓ１０２）のＳ２０１において、対象文字列が括弧に囲われた文字列であると判定し、「句点未出現」を設定する（Ｓ２０２）。
以降、「句点未出現」が設定されている場合の処理を行う。つまり、括弧に囲われた範囲に出現した句点を句点有無の判断に使用せず、「画像の説明（括弧に囲われた範囲）中」に出現した画像を「請求項の文中」に出現した場合と同様に扱う。
【００５４】
括弧の始まりと括弧の終わりとで囲われた文字列に対する画像単位抽出処理の終了後、括弧の終わりの直後を処理文字列の先頭として設定する（Ｓ５０６）。
【００５５】
図１３において、上記の括弧内処理（Ｓ４０８）を行い、画像単位の終了位置の判定処理を終了する。
【００５６】
画像単位の終了位置を判定後、図１０において、画像単位終了判定処理（または括弧内処理）で設定した処理文字列の先頭から（１ａ）画像、（２）括弧の始まり、（３）文字列の末尾を検索する（Ｓ１０１）。
そして、対象文字列に対する句点出現済み・句点未出現の判定を行う（Ｓ１０２）。
【００５７】
図１１において、対象文字列が括弧に囲われた文字列であるかを判定する（Ｓ２０１）。ここでは、対象文字列が括弧に囲われた文字列ではないものとする。
対象文字列が括弧に囲われた文字列でなかった場合、既に「句点出現済み」が設定されているかを判定する（Ｓ２０３）。
上記の句点出現判定処理のＳ２０５において「句点出現済み」が設定されていた場合、設定を変更せずに句点出現判定処理を終了する。つまり、この場合は「句点出現済み」が設定されており、以降は「句点出現済み」が設定されている場合の処理を行う。
【００５８】
また、図１０のおいてＳ１０１で検索を行い、（１ａ）画像の出現前に（２）括弧が出現する場合、図１４に対する上記説明と同様に括弧内処理を行う（Ｓ１０６）。
【００５９】
図１０に示す画像単位抽出処理では、上記の処理を（３）文字列の末尾が出現するまで行う。
【００６０】
画像単位抽出部１２０は、上記説明の処理により文書データ記憶部１９１から取得した文書から画像単位を抽出し、抽出した画像単位に含まれる画像本体を画像記憶部１９３に記憶し、抽出した画像単位を画像記憶部１９３に記憶した画像本体と関連付けて画像単位記憶部１９２に記憶する。
また、文書データ記憶部１９１から取得した文書に対して、抽出した画像単位を画像単位記憶部１９２に記憶した画像単位と関連付けて文書データ内で一意の文字データに置換し、置換した文書を画像置換データ記憶部１９４に記憶する。
【００６１】
図１５は、実施の形態１における画像単位記憶部１９２に記憶された画像単位を示す図である。
図１５において、＜￥ＩＭＡＧＥ−００１１＞から＜／￥ＩＭＡＧＥ−００１１＞で、図８に示す特開２００４−０３５６２７号公報の請求項２６の画像単位１を表している。
この画像単位１は、墨付き括弧［化１１］と画像本体と画像の説明からなり、画像本体を＜ｉｍｇ  ・・・  ／＞で表し、画像の説明を＜ＣＡＰＴＩＯＮ＞から＜／ＣＡＰＴＩＯＮ＞で表している。
＜ｉｍｇ  ・・・  ／＞には、画像本体のサイズやフォーマットを示し、「ｆｉｌｅ＝」は画像記憶部１９３に記憶する画像本体に対応する画像ファイル名「２００４０３５６２７．ｔｉｆ」を示している。画像記憶部１９３には、この画像ファイル名「２００４０３５６２７．ｔｉｆ」と関連付けて当該画像を記憶する。
画像の説明中には別の画像単位である画像単位２を「￥ＩＭＡＧＥ−００１２」、画像単位３を「￥ＩＭＡＧＥ−００１３」、画像単位４を「￥ＩＭＡＧＥ−００１４」として表している。
各画像単位についても、それぞれ画像単位１と同様に、＜￥ＩＭＡＧＥ−００１２＞から＜／￥ＩＭＡＧＥ−００１２＞、＜￥ＩＭＡＧＥ−００１３＞から＜／￥ＩＭＡＧＥ−００１３＞、＜￥ＩＭＡＧＥ−００１４＞から＜／￥ＩＭＡＧＥ−００１４＞で表し画像単位記憶部１９２に記憶する（図示しない）。
また、画像置換データ記憶部１９４には文書の画像単位１部分を「￥ＩＭＡＧＥ−０１１−０」という文中で一意の文字列置換した文書データを記憶する。
【００６２】
文書解析部１３０は、画像単位が文中で一意の文字列に置換された文書のデータを入力とすることで任意の文書解析を行うことができる。これは、画像単位を文中で一意の文字列に置換することで、文書解析部１３０が画像単位を固有名詞などの１つの単語として扱うことができるためである。
文書解析には、例えば特願２００４−１２７５７８号公報の文書情報表示装置が行う方法を使用できる。この文書情報表示装置を使用することで、例えば、請求項の構造を分析し、分析結果に基づいて請求項の可読性を上げることが可能な表示をすることできる。
図３に示す文書情報表示装置１００において、文書解析部１３０が文書解析を行い、解析結果を解析データとして解析データ記憶部１９５に記憶し、出力部１４０が解析データ記憶部１９５に記憶された解析データと、画像単位記憶部１９２に記憶された画像単位と、画像記憶部１９３に記憶された画像本体とに基づいて表示処理を行う。
【００６３】
図１６は、実施の形態１における画像を含む請求項の表示結果を示す図である。
文書解析部１３０が、特願２００４−１２７５７８号に示される文書解析方法で、図８に示す特開２００４−０３５６２７号公報の請求項２６を解析した場合に、出力部１４０が出力する表示結果の例を図１６に基づいて説明する。
文書解析部１３０は、請求項を「前提」部分と「構成要件」部分と「発明した装置／方法等」部分とに分ける構造解析を行い、解析結果を解析データ記憶部１９５に記憶する。構造解析の際、文書解析部１３０は画像単位を固有名詞として扱う。
出力部１４０は、解析データ記憶部１９５に記憶された解析データを取得し、解析データを検索し、文中で一意の文字列に置換された画像単位を判定する。例えば「￥ＩＭＡＧＥ・・・」という文字列を検索し、検索されたものを画像単位と判定する。
そして、検索した文字列をキーとして画像単位記憶部１９２を検索して当該画像単位を取得する。また、取得した画像単位内を検索し、＜ｉｍｇ  ・・・  ／＞で示される画像本体部分に含まれる「ｆｉｌｅ＝」で示される画像ファイル名を取得する。
さらに、取得した画像ファイル名をキーとして画像記憶部１９３を検索して当該画像を取得する。
出力部１４０は上記処理結果に基づいて、特開２００４−０３５６２７号公報の請求項２６に対する構造と画像とを表示する。また、画像単位を示す文字列（￥ＩＭＡＧＥ・・・）と関連付けた「画像の説明」ボタンを表示する。「画像の説明」ボタンは表示された画像に関する説明が存在することを示す。
【００６４】
ここで、「画像の説明」ボタンが押下され、命令入力部１５０が「画像の説明」の表示命令を入力すると、出力部１４０は、命令入力部１５０が入力した命令を受けて、押下された「画像の説明」に関連付けられた文字列（￥ＩＭＡＧＥ・・・）をキーとして画像単位記憶部１９２を検索して当該画像単位を取得する。そして、取得した画像単位内を検索し、＜ＣＡＰＴＩＯＮ＞・・・＜／ＣＡＰＴＩＯＮ＞で示される画像の説明部分を取得して図１７に示すような画像の説明を示す画面を出力する。
図１７において、［化１４］には、さらに「画像の説明」ボタンが表示されている。この「画面の説明」ボタンに対応する画面の説明も同様にして表示することができる。
【００６５】
上記説明では画像単位抽出部１２０が、特定文字に囲われたデータを画像に付随するデータとし画像単位を抽出する例を示した。但し、画像単位抽出部１２０は、文書解析を行い、画像の説明部分を画像に付随するデータとして画像単位を抽出することもできる。以下に、文書解析により画像の説明部分を抽出する処理について説明する。
【００６６】
画像の説明を抽出する際に、文書解析結果により得られる情報を用いることも可能である。例えば、画像の後に「ＡはＢを表す。」という記載で画像の説明がなされる文書であれば、文書解析を行い、その解析結果を用いて画像の説明を抽出することが可能である。
例えば、上記「ＡはＢを表す。」という書式の画像の説明を抽出するためには、画像の直後に続き、以下の条件を満たす節及び文が連続している範囲を画像の説明の範囲とすればよい。
【００６７】
（１）動詞「表す」（「表し」や「表している」などを含む）で終了する節もしくは文。
（２）それぞれの節または文には、助詞「は」が出現している。
【００６８】
上記の様な条件で文書解析すれば、「ＡはＢを表し、ＣはＤを表す。」という書式や、「ここでＥは、ＦとＧを含むＨを表している。」という書式を１画像の説明として抽出することが可能である。
【００６９】
この場合、画像の説明として抽出する範囲を決定するために、単語（形態素）の区切り位置や、単語の品詞情報等、情報を利用するために文書の解析が必要となる。文書解析は、一般的に知られている形態素解析システム等の文書解析システムを用いることで容易に実現することが可能である。
【００７０】
上記のように、文書解析により画像の説明を抽出する方法を用いれば、括弧のように特定の文字に基づいて画像の説明を抽出する他にも、意味的に画像の説明を抽出することが可能となる。
【００７１】
つまり、画像単位抽出部１２０は、特定文字に囲われたデータを画像の説明として画像単位を抽出してもよいし、文書解析で画像の説明を取得して画像単位を抽出してもよい。また、両方を実施して画像単位を抽出してもよい。
【００７２】
上記説明において、例えば以下のような文書処理装置について説明した。
文の一部として画像を含んでいる電子化された文書に対し、該文書を少なくともフレーズの判定あるいは形態素解析により文法構造抽出を行い、あらかじめ定められた一つ以上の種類の文法構造に対して任意の表示形式に整形して出力する文書処理装置であって、画像記憶部１９３と、該文中の画像参照部分をキーワードに変換して出力しつつ該画像参照部分が参照している画像をキーワードと対応させて画像記憶部１９３に記憶する画像単位抽出部１２０を備えることを特徴とする文書処理装置。
【００７３】
また、文の一部として画像を含んでいる電子化された文書に対し、該文書を少なくともフレーズの判定あるいは形態素解析により、文書パターンを識別する手がかり表現抽出を行い、あらかじめ定められた一つ以上の手がかり表現に対して任意の表示形式に整形して出力する文書処理装置、画像記憶部１９３と、該文中の画像参照部分をキーワードに変換して出力しつつ該画像参照部分が参照している画像をキーワードと対応させて前記画像記憶領域部に記憶する画像単位抽出部１２０を備えることを特徴とする文書処理装置。
【００７４】
また、上記いずれかの文書処理装置であって、画像単位抽出部１２０は少なくとも文中の異なる語毎に互いに異なるキーワードを使用することを特徴とする文書処理装置。
【００７５】
また、上記いずれかの文書処理装置であって、置換された結果のキーワードを形態素解析あるいは表示形式の整形において固有名詞語句として扱うことを特徴とする文書処理装置。
【００７６】
また、上記いずれかの文書処理装置であって、該電子化された文書とは特許明細書あるいは実用新案明細書であり、さらに特許明細書あるいは実用新案の一部分を範囲指定することが可能であることを特徴とする文書処理装置。
【００７７】
また、特許明細書あるいは実用新案の一部分とは「請求の範囲」であることを特徴とする文書処理装置。
【００７８】
また、画像単位抽出部１２０は画像ファイルを参照している部分及びその周辺部をあわせて扱うことを特徴とする文書処理装置。
【図面の簡単な説明】
【００７９】
【図１】実施の形態１における文書情報表示装置１００の外観を示す図。
【図２】実施の形態１における文書情報表示装置１００のハードウェア構成図。
【図３】実施の形態１における文書情報表示装置１００の構成図。
【図４】実施の形態１における画像単位の構成を示す図。
【図５】実施の形態１における画像単位の構成を示す図。
【図６】画像単位が請求項の末尾に出現する例（特開２００４−０３３０４３号公報：請求項７）を示す図。
【図７】画像単位が請求項の文中に出現する例（特開２００４−０３３４３６号公報：請求項３）を示す図。
【図８】画像単位が画像の説明中に出現する例（特開２００４−０３５６２７号公報：請求項２６）を示す図。
【図９】括弧に囲われた範囲に句点が出現する例（特開２００４−０３５４９５号：請求項１）を示す図。
【図１０】実施の形態１における画像単位抽出部１２０の画像単位抽出処理を示すフローチャート。
【図１１】実施の形態１における画像単位抽出部１２０の句点出現判定処理を示すフローチャート。
【図１２】実施の形態１における画像単位抽出部１２０の画像単位開始判定処理を示すフローチャート。
【図１３】実施の形態１における画像単位抽出部１２０の画像単位終了判定処理を示すフローチャート。
【図１４】実施の形態１における画像単位抽出部１２０の括弧内処理を示すフローチャート。
【図１５】実施の形態１における画像単位記憶部１９２に記憶された画像単位を示す図。
【図１６】実施の形態１における画像を含む請求項の表示結果を示す図。
【図１７】実施の形態１における画像の説明を表示した画面を示す図。
【符号の説明】
【００８０】
１００  文書情報表示装置、１１０  文書データ取得部、１２０  画像単位抽出部、１３０  文書解析部、１４０  出力部、１５０  命令入力部、１９１  文書データ記憶部、１９２  画像単位記憶部、１９３  画像記憶部、１９４  画像置換データ記憶部、１９５  解析データ記憶部、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４０  ネットワーク、９４１  ウェブサーバ、９４２  ＬＡＮ。
【図１】
2006190171.tif 000003
【図２】
2006190171.tif 000004
【図３】
2006190171.tif 000005
【図４】
2006190171.tif 000006
【図５】
2006190171.tif 000007
【図６】
2006190171.tif 000008
【図７】
2006190171.tif 000009
【図８】
2006190171.tif 000010
【図９】
2006190171.tif 000011
【図１０】
2006190171.tif 000012
【図１１】
2006190171.tif 000013
【図１２】
2006190171.tif 000014
【図１３】
2006190171.tif 000015
【図１４】
2006190171.tif 000016
【図１５】
2006190171.tif 000017
【図１６】
2006190171.tif 000018
【図１７】
2006190171.tif 000019